(57)【要約】【課題】ユーザが指定した時刻にチャプターを記録中のタイトルに付加できる情報記録再生装置を提供する。【解決手段】ＶＲモードでタイトルを記録媒体に記録しているときにタイトルにチャプターを付加する場合に、記録予約画面にて入力されたチャプター付加時刻をも含み当該タイトルの記録予約情報がメモリに記憶され、記録予約による記録開始時刻の到来により当該タイトルの記録が開始し、当該タイトルのＶＯＢＵの生成が完了し、停止要求が無いときに、チャプター付加機能がオンされていて、前記チャプター付加時刻になったと判定されたときに、前記チャプター付加時刻に対応するＶＯＢＵがエントリポイントとされる。これにより、当該タイトルの再生時には、エントリポイントの情報が保存されたＶＯＢＵがチャプターの位置になり、そのチャプターの位置までスキップさせることが可能になる。【選択図】図４
2008257766.tif 000002
【特許請求の範囲】
【請求項１】
テレビ番組やその他の情報をタイトルとして記録媒体に記録したり、記録媒体に記録されたタイトルを再生したりする情報記録再生装置において、
ビデオレコーディングモードで当該タイトルを記録媒体に記録しているときに、当該タイトルにチャプターを付加する場合に、当該タイトルの記録が開始して、予め記録予約画面にて入力されたチャプター付加時刻になったと判定したときに、前記チャプター付加時刻に対応するＶＯＢＵ（ビデオオブジェクトユニット）をエントリポイントとするエントリポイント付加処理を行うビデオレコーディングモード時チャプター付加処理部と、
ビデオモードでタイトルを記録媒体に記録しているときに、当該タイトルにチャプターを付加する場合に、当該タイトルの記録が開始して、予め記録予約画面にて入力されたチャプター付加時刻になったとき、複数のＶＯＢＵを構成するセル内のＶＯＢＵ数が規定値に達したと判定すると、チャプター情報を含む１区切りのセルを生成するビデオモード時チャプター付加処理部とを備えたことを特徴とする情報記録再生装置。
【請求項２】
前記ビデオレコーディングモード時チャプター付加処理部は、ビデオレコーディングモードでタイトルを記録媒体に記録しているときにタイトルにチャプターを付加する場合に、記録予約画面にて入力されたチャプター付加時刻をも含み当該タイトルの記録予約情報をメモリに記憶させる記録予約情報記憶処理手段と、記録予約による記録開始時刻の到来により当該タイトルの記録が開始し、当該タイトルのＶＯＢＵの生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、前記チャプター付加時刻に対応するＶＯＢＵをエントリポイントとするエントリポイント付加処理を行うエントリポイント付加処理手段とを有することを特徴とする請求項１に記載の情報記録再生装置。
【請求項３】
前記ビデオモード時チャプター付加処理部は、ビデオモードでタイトルを記録媒体に記録しているときにタイトルにチャプターを付加する場合に、記録予約画面にて入力されたチャプター付加時刻をも含み当該タイトルの記録予約情報をメモリに記憶させる記録予約情報記憶処理手段と、記録予約による記録開始時刻の到来により当該タイトルの記録が開始し、当該タイトルのＶＯＢＵの生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、複数のＶＯＢＵを構成するセル内のＶＯＢＵ数が規定値に達したか否かを判定するＶＯＢＵ数判定手段と、セル内のＶＯＢＵ数が規定値に達したと判定されたときに、チャプター情報を含む１区切りのセルを生成するセル生成処理を行うセル生成処理手段とを有することを特徴とする請求項１に記載の情報記録再生装置。
【請求項４】
前記エントリポイントの情報は、前記チャプター付加時刻に対応するＶＯＢＵに含まれるナビパックに保存することを特徴とする請求項１または請求項２に記載の情報記録再生装置。
【請求項５】
前記チャプター情報は、チャプター付加時刻になったときに生成された１区切りのセル内の最後のＶＯＢＵに含まれるナビパックに保存することを特徴とする請求項１または請求項３に記載の情報記録再生装置。
【発明の詳細な説明】
【技術分野】
【０００１】
本発明は、テレビ番組やその他の情報をタイトルとして記録媒体に記録したり、記録媒体に記録されたタイトルを再生したりするハードディスク装置や光ディスク装置などの情報記録再生装置に関し、特に、タイトルの記録時にタイトルにチャプターを付加することが可能なチャプター付加機能に関する。
【背景技術】
【０００２】
近年、映像情報および音声情報のデジタル化、ならびに、そのデータの圧縮技術の目覚しい発達により、磁気テープであるビデオカセットテープに対して映像音声情報を記録／再生するＶＣＲ（ビデオカセットレコーダ）に代わり、光ディスクであるＤＶＤ（デジタルバーサタイルディスク）に対して映像音声情報を記録／再生する光ディスク装置（ＤＶＤレコーダ）や、ハードディスクに対して映像音声情報を記録／再生するハードディスク装置（ハードディスクレコーダ）が普及している。
【０００３】
ところで、このような従来の情報記録再生装置を用いてテレビ番組を記録予約する場合、記録予約画面をディスプレイ装置に表示させ、当該番組の記録予約情報であるチャンネルと放送の日付と記録（放送）の開始時刻と記録（放送）の終了時刻と記録の画質とチャプターの付加時間間隔とを記録予約画面の各項目に入力する必要がある。なお、チャプターの付加が不要な場合は、チャプターの付加時間間隔を指定する必要がない。
【０００４】
そこで、ユーザが、記録予約画面をテレビ受信機のディスプレイ装置に表示させるための所定の操作をリモコンに対して行うと、ディスプレイ装置に記録予約画面が表示される。そして、ユーザは、記録予約画面を見て、リモコンを操作し、記録したい番組に対して、チャンネル、放送の日付、記録（放送）の開始時刻、記録（放送）の終了時刻、記録の画質、およびチャプターの付加時間間隔（例えば１０分毎）を指定しておく。
【０００５】
このようにして当該番組に対する記録予約設定処理が完了した後、当該番組の記録開始時刻になって、当該番組の記録が開始されると、付加時間間隔（例えば１０分毎）にチャプターが当該番組（タイトル）に付加される。これにより、当該番組（タイトル）の再生時には、付加時間間隔（例えば１０分毎）にチャプターが付加されているので、リモコンのスキップキーを押下すると、再生時間の例えば１０分間隔でスキップすることが可能になる。
【特許文献１】特開２００４−２６０４５２号公報
【特許文献２】特開２００６−１０７６７６号公報
【特許文献３】特開２００６−２７０６３３号公報
【発明の開示】
【発明が解決しようとする課題】
【０００６】
しかしながら、従来の情報記録再生装置では、番組（タイトル）の記録時に付加するチャプターの付加時間間隔は、例えば、５分毎、１０分毎、３０分毎のように、予め決められた複数の時間間隔のうちでユーザが指定されたものとなるので、当該番組（タイトル）の中でユーザが希望する箇所に自由にチャプターを付加することができないと言う課題が生じる。
【０００７】
例えば、放送時間が１９時〜２１時の番組を記録予約時に１０分間隔でチャプターを付加する付加時間間隔に指定すると、１９時１０分、１９時２０分、１９時３０分、・・と言うように１０分間隔でチャプターが付加されるが、例えば、１９時３２分にチャプターを付加したい場合には、そのチャプターを付加することができないので、ユーザにとっては使い勝手が劣る。
【０００８】
なお、特許文献１の従来技術では、ユーザがチャプター挿入時間間隔を選択できる画面表示を行うようにしているが、ユーザが時刻指定でチャプターを付加できる機能に関しては開示されていない。
【０００９】
特許文献２の従来技術では、ユーザの設定操作に応じたタイミングでチャプターを分割する第１のモードと、一定時間毎にチャプターを分割する第２のモードを選択できる構成が開示されているが、この従来技術も、ユーザが時刻指定でチャプターを付加できる機能に関しては開示されていない。
【００１０】
特許文献３の従来技術では、第１の録画予約情報と第２の録画要約情報とが連続する場合、第１の録画予約情報の録画終了時刻にＶＯＢＵの生成を停止することなく継続させ、第２の録画予約情報の録画開始時刻に記録されるＶＯＢＵにアクセス可能なチャプター情報を生成させるようにしているが、この従来技術も、ユーザが時刻指定でチャプターを付加できる機能に関しては開示されていない。
【００１１】
本発明は、上記のような課題を解決するためになされたもので、ユーザが指定した時刻にチャプターを記録中のタイトルに付加することができる情報記録再生装置を提供することを目的とする。
【課題を解決するための手段】
【００１２】
上記目的を達成するために、請求項１の発明は、ビデオレコーディングモードで当該タイトルを記録媒体に記録しているときに、当該タイトルにチャプターを付加する場合に、当該タイトルの記録が開始して、予め記録予約画面にて入力されたチャプター付加時刻になったと判定したときに、前記チャプター付加時刻に対応するＶＯＢＵ（ビデオオブジェクトユニット）をエントリポイントとするエントリポイント付加処理を行うビデオレコーディングモード時チャプター付加処理部と、ビデオモードでタイトルを記録媒体に記録しているときに、当該タイトルにチャプターを付加する場合に、当該タイトルの記録が開始して、予め記録予約画面にて入力されたチャプター付加時刻になったとき、複数のＶＯＢＵを構成するセル内のＶＯＢＵ数が規定値に達したと判定すると、チャプター情報を含む１区切りのセルを生成するビデオモード時チャプター付加処理部とを備えたことを特徴とする情報記録再生装置を提供する。
【００１３】
この構成において、ビデオレコーディングモードで当該タイトルを記録媒体に記録しているときに、当該タイトルにチャプターを付加する場合に、ビデオレコーディングモード時チャプター付加処理部は、当該タイトルの記録が開始して、予め記録予約画面にて入力されたチャプター付加時刻になったと判定したときに、前記チャプター付加時刻に対応するＶＯＢＵをエントリポイントとするエントリポイント付加処理を行う。
【００１４】
また、ビデオモードでタイトルを記録媒体に記録しているときに、当該タイトルにチャプターを付加する場合に、ビデオモード時チャプター付加処理部は、当該タイトルの記録が開始して、予め記録予約画面にて入力されたチャプター付加時刻になったとき、複数のＶＯＢＵを構成するセル内のＶＯＢＵ数が規定値に達したと判定すると、チャプター情報を含む１区切りのセルを生成する。
【００１５】
この構成によれば、ビデオレコーディングモードで当該タイトルにチャプターを付加する場合には、ユーザが希望するチャプター付加時刻に対応するＶＯＢＵをエントリポイントとするように、エントリポイントであるという情報を、そのＶＯＢＵに保存することにより、当該タイトルの再生時には、エントリポイントであるという情報が保存されたＶＯＢＵがチャプターの位置になり、リモコンのスキップキーが押下されたとき、そのチャプターの位置までスキップさせることが可能になる。
【００１６】
また、この構成によれば、ビデオモードで当該タイトルにチャプターを付加する場合には、チャプター付加ポイントはセルの区切りである必要であるため、チャプター付加時刻になれば、セル生成処理を行い、セル内のＶＯＢＵにチャプター情報を保存することにより、当該タイトルの再生時には、チャプター情報が保存されたＶＯＢＵを有するセルの区切りがチャプターの位置になり、リモコンのスキップキーが押下されたとき、そのチャプターの位置までスキップさせることが可能になる。
【００１７】
請求項２の発明では、請求項１の発明において、前記ビデオレコーディングモード時チャプター付加処理部は、ビデオレコーディングモードでタイトルを記録媒体に記録しているときにタイトルにチャプターを付加する場合に、記録予約画面にて入力されたチャプター付加時刻をも含み当該タイトルの記録予約情報をメモリに記憶させる記録予約情報記憶処理手段と、記録予約による記録開始時刻の到来により当該タイトルの記録が開始し、当該タイトルのＶＯＢＵの生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、前記チャプター付加時刻に対応するＶＯＢＵをエントリポイントとするエントリポイント付加処理を行うエントリポイント付加処理手段とを有することを特徴とする。
【００１８】
この構成において、ビデオレコーディングモードでタイトルを記録媒体に記録しているときにタイトルにチャプターを付加する場合に、記録予約画面にて入力されたチャプター付加時刻をも含み当該タイトルの記録予約情報がメモリに記憶され、記録予約による記録開始時刻の到来により当該タイトルの記録が開始し、当該タイトルのＶＯＢＵの生成が完了し、停止要求が無いときに、チャプター付加機能がオンされていて、前記チャプター付加時刻になったと判定されたときに、前記チャプター付加時刻に対応するＶＯＢＵがエントリポイントとされる。
【００１９】
この構成によれば、ビデオレコーディングモードで当該タイトルにチャプターを付加する場合には、ユーザが希望するチャプター付加時刻に対応するＶＯＢＵをエントリポイントとするように、エントリポイントであるという情報を、そのＶＯＢＵに保存することにより、当該タイトルの再生時には、エントリポイントであるという情報が保存されたＶＯＢＵがチャプターの位置になり、リモコンのスキップキーが押下されたとき、そのチャプターの位置までスキップさせることが可能になる。
【００２０】
請求項３の発明では、請求項１の発明において、前記ビデオモード時チャプター付加処理部は、ビデオモードでタイトルを記録媒体に記録しているときにタイトルにチャプターを付加する場合に、記録予約画面にて入力されたチャプター付加時刻をも含み当該タイトルの記録予約情報をメモリに記憶させる記録予約情報記憶処理手段と、記録予約による記録開始時刻の到来により当該タイトルの記録が開始し、当該タイトルのＶＯＢＵの生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、複数のＶＯＢＵを構成するセル内のＶＯＢＵ数が規定値に達したか否かを判定するＶＯＢＵ数判定手段と、セル内のＶＯＢＵ数が規定値に達したと判定されたときに、チャプター情報を含む１区切りのセルを生成するセル生成処理を行うセル生成処理手段とを有することを特徴とする。
【００２１】
この構成において、ビデオモードでタイトルを記録媒体に記録しているときにタイトルにチャプターを付加する場合に、記録予約画面にて入力されたチャプター付加時刻をも含み当該タイトルの記録予約情報がメモリに記憶され、記録予約による記録開始時刻の到来により当該タイトルの記録が開始される。そして、当該タイトルのＶＯＢＵの生成が完了し、停止要求が無いときに、前記チャプター付加機能がオンされていて、前記チャプター付加時刻になったときに、複数のＶＯＢＵを構成するセル内のＶＯＢＵ数が規定値に達したと判定されると、チャプター情報を含む１区切りのセルが生成される。
【００２２】
この構成によれば、ビデオモードで当該タイトルにチャプターを付加する場合には、チャプター付加ポイントはセルの区切りである必要であるため、チャプター付加時刻になれば、セル生成処理を行い、セル内のＶＯＢＵにチャプター情報を保存することにより、当該タイトルの再生時には、チャプター情報が保存されたＶＯＢＵを有するセルの区切りがチャプターの位置になり、リモコンのスキップキーが押下されたとき、そのチャプターの位置までスキップさせることが可能になる。
【００２３】
請求項４の発明では、請求項１または請求項２の発明において、前記エントリポイントの情報は、前記チャプター付加時刻に対応するＶＯＢＵに含まれるナビパックに保存するので、前記チャプター付加時刻に対応するＶＯＢＵは、チャプターとして作用することができる。
【００２４】
請求項５の発明では、請求項１または請求項３の発明において、前記チャプター情報は、チャプター付加時刻になったときに生成された１区切りのセル内の最後のＶＯＢＵに含まれるナビパックに保存するので、前記チャプター付加時刻になったときに生成された１区切りのセルは、チャプターとして作用することができる。
【発明の効果】
【００２５】
以上のように本発明によれば、ビデオレコーディングモードで当該タイトルにチャプターを付加する場合には、ユーザが希望するチャプター付加時刻に対応するＶＯＢＵをエントリポイントとするように、エントリポイントであるという情報を、そのＶＯＢＵに含まれるナビパックに保存することにより、当該タイトルの再生時には、エントリポイントであるという情報がナビパックに保存されたＶＯＢＵがチャプターの位置になり、リモコンのスキップキーが押下されたとき、そのチャプターの位置までスキップさせることが可能になる。
【００２６】
また、ビデオモードで当該タイトルにチャプターを付加する場合には、チャプター付加ポイントはセルの区切りである必要であるため、チャプター付加時刻になれば、セル生成処理を行い、セル内のＶＯＢＵに含まれるナビパックにチャプター情報を保存することにより、当該タイトルの再生時には、チャプター情報がナビパックに保存されたＶＯＢＵを有するセルの区切りがチャプターの位置になり、リモコンのスキップキーが押下されたとき、そのチャプターの位置までスキップさせることが可能になる。
【００２７】
要するに、本発明によれば、記録予約するタイトルに対して、ユーザが希望する指定時刻にチャプターを付加することができるようになるので、使い勝手が向上する。
【発明を実施するための最良の形態】
【００２８】
以下、添付図面を参照しつつ、本発明の実施の形態について説明する。図１は本発明の一実施形態に係る情報記録再生装置としてのハードディスク装置（ハードディスクレコーダ）の構成を示すブロック図である。ここでは、情報記録再生装置としてハードディスク装置について説明するが、ハードディスク装置に限らず光ディスク装置（ＤＶＤレコーダ）に本発明の特徴とするチャプター付加機能を採用しても良い。
【００２９】
図１において、ハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データに復元する伸張処理部６を備えている。
【００３０】
また、このハードディスク装置Ａは、前記復元した映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、伸張処理部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時や伸張処理部６による伸張処理時に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００３１】
システムコントローラ１０は、ビデオレコーディングモード（ＶＲモード）でタイトルをＨＤ５ａに記録しているときにタイトルにチャプターを付加する場合に、記録予約画面にて入力されたチャプター付加時刻を含み当該タイトルの記録予約情報をフラッシュＲＯＭ１４に記憶させる記録予約情報記憶処理手段と、記録予約による記録開始時刻の到来により当該タイトルの記録が開始し、当該タイトルのＶＯＢＵ（ビデオオブジェクトユニット）の生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、エントリポイント付加処理を行うエントリポイント付加処理手段とを有するＶＲモード時チャプター付加処理部１０１を備えている。
【００３２】
また、システムコントローラ１０は、ＶｉｄｅｏモードでタイトルをＨＤ５ａに記録しているときにタイトルにチャプターを付加する場合に、記録予約画面にて入力されたチャプター付加時刻をフラッシュＲＯＭ１４に記憶させる記録予約情報記憶処理手段と、記録予約による記録開始時刻の到来により当該タイトルの記録が開始し、当該タイトルのＶＯＢＵの生成が完了したか否かを判定するＶＯＢＵ生成完了判定手段と、前記ＶＯＢＵの生成が完了したと判定され、停止要求が無いときに、チャプター付加機能がオンされているか否かを判定するチャプター付加機能オン判定手段と、前記チャプター付加機能がオンされていると判定されたときに、前記チャプター付加時刻になったか否かを判定するチャプター付加時刻判定手段と、前記チャプター付加時刻になったと判定されたときに、複数のＶＯＢＵを構成するセル内のＶＯＢＵ数が規定値に達したか否かを判定するＶＯＢＵ数判定手段と、セル内のＶＯＢＵ数が規定値に達したと判定されたときに、１区切りのセルを生成するセル生成処理を行うセル生成処理手段とを有するＶｉｄｅｏモード時チャプター付加処理部１０２を備えている。
【００３３】
図２は本実施形態において番組を記録する際に用いられる記録予約画面の内容を説明するための画面図である。図２において、記録予約画面２１では、記録したい番組のテレビ放送局のＣＨ（チャンネル）、番組を記録する日付、記録を開始させる開始時刻、記録を終了させる終了時刻、記録の画質、チャプターが表示されている。記録予約画面２１には、チャプターを何分毎に付加するか、あるいは付加する時刻を指定する項目が表示される枠ａが表示されており、枠ａをリモコン１３の操作により選択すると、下図の記録予約画面２１の枠ｂに示されるように、記録している番組（タイトル）に何分毎にチャプターを付加するかの選択項目（５分毎、１０分毎、３０分毎）およびチャプターを付加する時刻を指定する時刻指定の項目が表示される。そして、枠ｂの中から時刻指定が選択されると、更に、下図の記録予約画面２１に示すように、チャプター付加時刻を指定するための枠ｃが表示される。この枠ｃでは、例えば、記録開始時刻１９時から記録終了時刻２１時の間で、チャプターを付加したい時刻が２０時であることを示している。
【００３４】
なお、図２に示す記録予約画面２１では、チャプター付加時刻の指定は、２０時だけを示したが、複数の時刻を指定することが可能である。また、毎日放送される同じ番組や、毎週放送される同じ番組などについては、希望のチャプター付加時刻を指定してフラッシュＲＯＭに記憶させておけば、同じ番組については、その指定したチャプター付加時刻を利用することができ、ユーザにとっては便利になる。
【００３５】
図３は本実施形態においてＶＲモードでハードディスクにタイトル（番組）を記録させる際のセルとＶＯＢＵとの関係を示すデータ構造図である。図３に示すように、セルは、ＶＯＢＵ♯１、ＶＯＢＵ♯２、ＶＯＢＵ♯３、・・・、ＶＯＢＵ♯ｊ、・・・、ＶＯＢＵ♯ｍから構成される。各ＶＯＢＵは、ナビゲーションパック、オーディオパック、ビデオパック、およびサブピクチャパックから構成される。したがって、ＶＲモードでは、ハードディスクに対して一つのタイトルを記録する場合、一つのタイトルを記録してから終了するまで、セルは一つで構成される。ＶＲモードでチャプターをタイトルに付加する場合、チャプター付加時刻になった記録時刻でのＶＯＢＵ、例えば、ＶＯＢＵ♯ｊをエントリポイントという形でデータ保存する。即ち、ＶＯＢＵ♯ｊが、チャプターの付加箇所であることを示すことができるように、エントリポイント情報をナビパックに保存する。
【００３６】
図４は本実施形態においてＶＲモードでのチャプター付加処理のシーケンスを示すフローチャートである。このフローチャートおよび図１〜図３を参照してＶＲモードでのチャプター付加処理について説明する。
【００３７】
まず、記録予約（録画予約）により記録（録画）を開始させる前に、テレビジョン受信機８のディスプレイ装置８１に図２に示すような記録予約画面２１を表示させ、記録したいタイトル（番組）に対して、チャンネル、放送の日付、記録（放送）の開始時刻、記録（放送）の終了時刻、記録の画質、およびチャプターの付加時間間隔や付加時刻を指定する必要がある。なお、チャプターの付加が不要な場合は、チャプターの付加時間間隔や付加時刻を指定する必要がない。
【００３８】
そこで、ユーザが記録予約画面２１をディスプレイ装置８１に表示させるための所定の操作をリモコン１３に対して行うと、システムコントローラ１０は、フラッシュＲＯＭ１４から記録予約画面データを読み出し、ＯＳＤ部７でＯＳＤ処理し、ディスプレイ装置８１に記録予約画面２１を表示させる。そして、ユーザは、記録予約画面２１を見て、リモコン１３を操作し、記録したいタイトル（番組）に対して、チャンネル、放送の日付、記録（放送）の開始時刻、記録（放送）の終了時刻、記録の画質、およびチャプター付加時刻を指定すると、システムコントローラ１０は、チャンネル、放送の日付、記録（放送）の開始時刻、記録（放送）の終了時刻、記録の画質、およびチャプター付加時刻に関する各データをフラッシュＲＯＭ１４に記憶させる。
【００３９】
なお、ここでは、チャプター付加時刻を指定した場合のチャプター付加処理について説明するが、チャプター付加時間間隔（５分毎、１０分毎、３０分毎など）を指定した場合も同様なチャプター付加処理が行われることは言うまでもない。チャプター付加時刻を指定したいタイトル（番組）に関する記録予約情報が、例えば、チャンネル（８）、日付（２／１５）、記録開始時刻（１９：００）、記録終了時刻（２１：００）、画質（ＸＰ）であり、チャプター付加時刻を２０：００に指定する場合は、ユーザは、リモコン１３を操作して、記録予約画面２１の枠ｃに、チャプター付加時刻として、２０：００を入力する。これにより、システムコントローラ１０におけるＶＲモード時チャプター付加処理部１０１の記録予約情報記憶処理手段は、チャンネル（８）、日付（２／１５）、記録開始時刻（１９：００）、記録終了時刻（２１：００）、および画質（ＸＰ）に関する各データと共に、チャプター付加時刻２０：００のデータをフラッシュＲＯＭ１４に記憶させる。
【００４０】
このようにして当該タイトル（番組）に対する記録予約設定処理が完了した後、図示しないタイマにより計時されている日時が、記録予約された日時（日付、記録開始時刻）になると、この例の場合、２月１５日の１９時になると、システムコントローラ１０は、フラッシュＲＯＭ１４に記憶されている当該タイトル（番組）に関する記録予約情報に従って、当該タイトル（番組）の記録を開始させる（ステップＳ１）。
【００４１】
即ち、システムコントローラ１０は、１９時から記録動作が行えるように、前もって、記録開始時刻の所定時間前に、ＨＤＤ５を起動させておき、また、チューナ１を８チャンネルに設定し、１９時になると、チューナ１で選局された８チャンネルの映像音声信号を復調部２で復調し、この復調した映像音声信号を圧縮処理部４にてＭＰＥＧ方式で圧縮処理し、ＨＤＤ５の記録動作により、２月１５日の１９時から放送される８チャンネルのタイトル（番組）の映像音声データをＨＤ５ａに記録開始させる（ステップＳ１）。
【００４２】
当該タイトル（番組）の記録が開始すると、システムコントローラ１０におけるＶＲモード時チャプター付加処理部１０１のＶＯＢＵ生成完了判定手段は、当該タイトルのＶＯＢＵの生成、例えば、図３に示すＶＯＢＵ♯ｊの生成が完了したか否かを判定する（ステップＳ２）。前記ＶＯＢＵ♯ｊの生成が完了したと判定され、停止要求が無いときに（ステップＳ３）、システムコントローラ１０におけるＶＲモード時チャプター付加処理部１０１のチャプター付加機能オン判定手段は、チャプター付加時刻が指定されていれば、チャプター付加機能がオンされていることになるので、これを調べることにより、チャプター付加機能がオンされているか否かを判定する（ステップＳ４）。
【００４３】
前記チャプター付加機能がオンされていると判定されたときに、ＶＲモード時チャプター付加処理部１０１のチャプター付加時刻判定手段は、前記チャプター付加時刻になったか否かを判定する（ステップＳ５）。前記チャプター付加時刻になったと判定されたときに、ＶＲモード時チャプター付加処理部１０１のエントリポイント付加処理手段はエントリポイント付加処理を行う（ステップＳ６）。即ち、ＶＲモードでチャプターを当該タイトルに付加する場合、チャプター付加時刻になった記録時刻でのＶＯＢＵ、例えば、ＶＯＢＵ♯ｊをエントリポイントという形でデータ保存する。即ち、ＶＯＢＵ♯ｊが、チャプターの付加箇所であることを示すことができるように、エントリポイント情報をＶＯＢＵ♯ｊに含まれるナビパックに保存する。
【００４４】
そして、システムコントローラ１０は、図示しないタイマにより計時されている現在時刻が記録終了時刻になることにより発生する記録停止要求、またはリモコン１３の停止キーの操作による記録停止要求が有ることを検知すると（ステップＳ７）、ＨＤＤ５の記録動作を停止させ、当該タイトル（番組）のＨＤ５ａへの記録を終了させる（ステップＳ８）。
【００４５】
以上説明したように、ＶＲモードで当該タイトルにチャプターを付加する場合には、ユーザが希望するチャプター付加時刻に対応するＶＯＢＵをエントリポイントとするように、エントリポイント情報を、そのＶＯＢＵに含まれるナビパックに保存することにより、当該タイトルの再生時には、エントリポイント情報がナビパックに保存されたＶＯＢＵがチャプターの位置になり、リモコン１３のスキップキーが押下されたとき、そのチャプターの位置までスキップさせることが可能になる。要するに、記録予約するタイトルに対して、ユーザが希望する指定時刻にチャプターを付加することができるようになるので、使い勝手が向上する。
【００４６】
図５は本実施形態においてＶｉｄｅｏモードでハードディスクにタイトル（番組）を記録させる際のセルとＶＯＢＵとの関係を示すデータ構造図である。図５に示すように、各セルは、ＶＯＢＵ♯１、ＶＯＢＵ♯２、ＶＯＢＵ♯３、・・・、ＶＯＢＵ♯ｎから構成される。各ＶＯＢＵは、ナビゲーションパック、オーディオパック、ビデオパック、およびサブピクチャパックから構成される。したがって、Ｖｉｄｅｏモードでは、ハードディスクに対して一つのタイトルを記録する場合、一つのタイトルを記録してから終了するまで、複数のセル♯１〜セル♯ｍで構成される。Ｖｉｄｅｏモードでチャプターをタイトルに付加する場合、チャプターの付加ポイントは、セルの区切りである必要があるため、チャプター付加時刻になれば、この状態でのセルの生成処理が行われる。即ち、例えば、ＶＯＢＵ♯３おいてチャプター付加時刻になったとすると、ＶＯＢＵ♯ｎまでのデータのデコードが完了し、ナビパックにチャプター情報が書き込まれ、セル♯２の生成が完了する。
【００４７】
図６は本実施形態においてＶｉｄｅｏモードでのチャプター付加処理のシーケンスを示すフローチャートである。このフローチャートおよび図１、図２、図５を参照してＶｉｄｅｏモードでのチャプター付加処理について説明する。
【００４８】
前述したＶｉｄｅｏモードでのチャプター付加処理においても説明したように、まず、記録予約（録画予約）により記録（録画）を開始させる前に、テレビジョン受信機８のディスプレイ装置８１に図２に示すような記録予約画面２１を表示させ、記録したいタイトル（番組）に対して、チャンネル、放送の日付、記録（放送）の開始時刻、記録（放送）の終了時刻、記録の画質、およびチャプターの付加時間間隔や付加時刻を指定する必要がある。なお、チャプターの付加が不要な場合は、チャプターの付加時間間隔や付加時刻を指定する必要がない。
【００４９】
そこで、ユーザが記録予約画面２１をディスプレイ装置８１に表示させるための所定の操作をリモコン１３に対して行うと、システムコントローラ１０は、フラッシュＲＯＭ１４から記録予約画面データを読み出し、ＯＳＤ部７でＯＳＤ処理し、ディスプレイ装置８１に記録予約画面２１を表示させる。そして、ユーザは、記録予約画面２１を見て、リモコン１３を操作し、記録したいタイトル（番組）に対して、チャンネル、放送の日付、記録（放送）の開始時刻、記録（放送）の終了時刻、記録の画質、およびチャプター付加時刻を指定すると、システムコントローラ１０は、チャンネル、放送の日付、記録（放送）の開始時刻、記録（放送）の終了時刻、記録の画質、およびチャプター付加時刻に関する各データをフラッシュＲＯＭ１４に記憶させる。
【００５０】
なお、ここでは、チャプター付加時刻を指定した場合のチャプター付加処理について説明するが、チャプター付加時間間隔（５分毎、１０分毎、３０分毎など）を指定した場合も同様なチャプター付加処理が行われることは言うまでもない。チャプター付加時刻を指定したいタイトル（番組）に関する記録予約情報が、例えば、チャンネル（８）、日付（２／１５）、記録開始時刻（１９：００）、記録終了時刻（２１：００）、画質（ＸＰ）であり、チャプター付加時刻を２０：００に指定する場合は、ユーザは、リモコン１３を操作して、記録予約画面２１の枠ｃに、チャプター付加時刻として、２０：００を入力する。これにより、システムコントローラ１０におけるＶＲモード時チャプター付加処理部１０１の記録予約情報記憶処理手段は、チャンネル（８）、日付（２／１５）、記録開始時刻（１９：００）、記録終了時刻（２１：００）、および画質（ＸＰ）に関する各データと共に、チャプター付加時刻２０：００のデータをフラッシュＲＯＭ１４に記憶させる。
【００５１】
このようにして当該タイトル（番組）に対する記録予約設定処理が完了した後、図示しないタイマにより計時されている日時が、記録予約された日時（日付、記録開始時刻）になると、この例の場合、２月１５日の１９時になると、システムコントローラ１０は、フラッシュＲＯＭ１４に記憶されている当該タイトル（番組）に関する記録予約情報に従って、当該タイトル（番組）の記録を開始させる（ステップＴ１）。
【００５２】
即ち、システムコントローラ１０は、１９時から記録動作が行えるように、前もって、記録開始時刻の所定時間前に、ＨＤＤ５を起動させておき、また、チューナ１を８チャンネルに設定し、１９時になると、チューナ１で選局された８チャンネルの映像音声信号を復調部２で復調し、この復調した映像音声信号を圧縮処理部４にてＭＰＥＧ方式で圧縮処理し、ＨＤＤ５の記録動作により、２月１５日の１９時から放送されている８チャンネルのタイトル（番組）の映像音声データをＨＤ５ａに記録開始させる（ステップＴ１）。
【００５３】
当該タイトル（番組）の記録が開始すると、システムコントローラ１０におけるＶＲモード時チャプター付加処理部１０２のＶＯＢＵ生成完了判定手段は、当該タイトルのＶＯＢＵの生成、例えば、図５に示すＶＯＢＵ♯ｎの生成が完了したか否かを判定する（ステップＴ２）。前記ＶＯＢＵ♯ｎの生成が完了したと判定され、停止要求が無いときに（ステップＴ３）、システムコントローラ１０におけるＶｉｄｅｏモード時チャプター付加処理部１０２のチャプター付加機能オン判定手段は、チャプター付加時刻が指定されていれば、チャプター付加機能がオンされていることになるので、これを調べることにより、チャプター付加機能がオンされているか否かを判定する（ステップＴ４）。
【００５４】
前記チャプター付加機能がオンされていると判定されたときに、Ｖｉｄｅｏモード時チャプター付加処理部１０２のチャプター付加時刻判定手段は、前記チャプター付加時刻になったか否かを判定する（ステップＴ５）。前記チャプター付加時刻になったと判定されたときに、Ｖｉｄｅｏモード時チャプター付加処理部１０２のＶＯＢＵ数判定手段は、複数のＶＯＢＵを構成するセル内のＶＯＢＵ数が規定値（例えば図５ではｎ個）に達したか否かを判定する（ステップＴ６）。
【００５５】
前記セル内のＶＯＢＵ数が規定値に達したと判定されたとき、Ｖｉｄｅｏモード時チャプター付加処理部１０２のセル生成処理手段は、１区切りのセルを生成する処理を行う（ステップＴ７）。Ｖｉｄｅｏモードでは、例えば、図５に示すように、１つのタイトルは、１つのセルではなく、複数のセル♯１〜♯ｍで構成されており、各セル内のＶＯＢＵの個数は、記録の画質（ＸＰ，ＳＰ、ＬＰ、ＥＰ等）によっても異なるが、例えば、ＶＯＢＵの個数が２０個であれば、２０個のＶＯＢＵが溜まったところで、１つのセルを生成すると言うセル生成処理が、前記セル生成処理手段により行われる。
【００５６】
そして、システムコントローラ１０は、前記セル生成処理により生成されたセルの個数が限界になったことを検知したとき、もしくは図示しないタイマにより計時されている現在時刻が記録終了時刻になることにより発生する記録停止要求、またはリモコン１３の停止キーの操作による記録停止要求が有ることを検知したとき（ステップＴ８）、ＨＤＤ５の記録動作を停止させ、当該タイトル（番組）のＨＤ５ａへの記録を終了させる（ステップＴ９）。
【００５７】
以上説明したように、Ｖｉｄｅｏモードで当該タイトルにチャプターを付加する場合には、チャプター付加ポイントはセルの区切りである必要であるため、チャプター付加時刻になれば、セル生成処理を行い、セル内のＶＯＢＵに含まれるナビパックにチャプター情報を保存することにより、当該タイトルの再生時には、チャプター情報がナビパックに保存されたＶＯＢＵを有するセルの区切りがチャプターの位置になり、リモコン１３のスキップキーが押下されたとき、そのチャプターの位置までスキップさせることが可能になる。要するに、記録予約するタイトルに対して、ユーザが希望する指定時刻にチャプターを付加することができるようになるので、使い勝手が向上する。
【産業上の利用可能性】
【００５８】
本発明は、ハードディスク装置（ハードディスクレコーダ）や光ディスク装置（ＤＶＤレコーダ）などの情報記録再生装置におけるチャプター付加機能に利用可能であり、記録予約するタイトルに対して、ユーザが希望する指定時刻にチャプターを付加することができるようになる。
【図面の簡単な説明】
【００５９】
【図１】本発明の一実施形態に係る情報記録再生装置としてのハードディスク装置の構成を示すブロック図である。
【図２】前記実施形態において番組を記録する際に用いられる記録予約画面の内容を説明するための画面図である。
【図３】前記実施形態においてＶＲモードでハードディスクにタイトル（番組）を記録させる際のセルとＶＯＢＵとの関係を示すデータ構造図である。
【図４】前記実施形態においてＶＲモードでのチャプター付加処理のシーケンスを示すフローチャートである。
【図５】前記実施形態においてＶｉｄｅｏモードでハードディスクにタイトル（番組）を記録させる際のセルとＶＯＢＵとの関係を示すデータ構造図である。
【図６】前記実施形態においてＶｉｄｅｏモードでのチャプター付加処理のシーケンスを示すフローチャートである。
【符号の説明】
【００６０】
Ａ    ハードディスク装置（情報記録再生装置）
５ａ    ハードディスク（記録媒体）
１４    フラッシュＲＯＭ（メモリ）
２１    記録予約画面
１０１    ＶＲモード時チャプター付加処理部
１０２    Ｖｉｄｅｏモード時チャプター付加処理部
【図１】
2008257766.tif 000003
【図２】
2008257766.tif 000004
【図３】
2008257766.tif 000005
【図４】
2008257766.tif 000006
【図５】
2008257766.tif 000007
【図６】
2008257766.tif 000008